(57)【要約】【課題】【解決手段】本発明は、前方に延びる突出構造を具えた前部取付け具とともに用いられるシリンジに関し、シリンジのノーズを凹ませて、入り込んだノーズが物理的な接触によって汚染されることを防ぐ。好ましい一実施例に於いて、突出構造は管状で内部にネジ切られ、シリンジが使用される際に、標準的なＣＬＡＶＥ(商標)コネクタが予め充填されたシリンジに取り付けられる。他の好ましい実施例に於いて、突出構造は管状で内部にネジ切られ、シリンジが使用される際に、ルアロック針取付け具がルアロックシリンジに取り付けられ得る。【選択図】図１
2009536080.tif 000002
【特許請求の範囲】
【請求項１】
長く延びた中空のシリンジハウジングであって、ハウジングに比して減径した断面を有する開口したノーズと、ノーズを越えて延びノーズを奥に置く突出構造と、開口を具えた後端部と、ノーズと後端部間に長く延びた壁とを有しているシリンジハウジングと、
ノーズをシールする手段と、
ハウジングの後端部に配備され、シリンジの長さ方向に延びた壁とシールしつつスライド可能に接触する長く延びたプランジャであって、前端部と後端部を有するプランジャと、
シールされたノーズとプランジャの前端部間にてハウジングに配備された流体室とを具えた、予め充填されたシリンジ。
【請求項２】
ノーズをシールする手段は、ノーズに取り外し可能に配備された取り外し可能なシールキャップである、請求項１に記載の予め充填されたシリンジ。
【請求項３】
突出構造は、シリンジハウジングのノーズを囲む、請求項１に記載の予め充填されたシリンジ。
【請求項４】
突出構造は、内部にネジが切られて、標準的なＣＬＡＶＥ(商標)コネクタからの外側ネジを受け入れる大きさである、請求項１に記載の予め充填されたシリンジ。
【請求項５】
内部にネジが切られた突出構造は、シリンジハウジングのノーズを全て囲む、請求項３に記載の予め充填されたシリンジ。
【請求項６】
シリンジハウジングは、高分子材である、請求項１に記載の予め充填されたシリンジ。
【請求項７】
シリンジハウジングはガラスである、請求項１に記載の予め充填されたシリンジ。
【請求項８】
突出構造は、ハウジングから離れて、ハウジングに取り付け可能である、請求項１に記載の予め充填されたシリンジ。
【請求項９】
突出構造は、ハウジング上にネジ止めされる、請求項８に記載の予め充填されたシリンジ。
【請求項１０】
突出構造は、摩擦嵌合によりハウジングに取り付けられている、請求項８に記載の予め充填されたシリンジ。
【請求項１１】
長く延びた中空のシリンジハウジングであって、ハウジングに比して減径した断面を有する開口を有するノーズと、ノーズを越えて延びノーズを奥に置く管状の突出構造と、開口を具えた後端部と、ノーズと後端部間に長く延びた壁を有するシリンジハウジングと、
ノーズに配備された取り外し可能なシールキャップと、
ハウジングの後端部に配備され、シリンジの長さ方向に延びた壁とシールしつつスライド可能に接触する長く延びたプランジャであって、プランジャシールを具えた前端部と端部キャップを搬送する後端部を有するプランジャと、
取り外し可能なシールキャップとプランジャの前端部間にてハウジングに配備された流体室を具えた予め充填されたシリンジ。
【請求項１２】
管状の突出構造は、内部にネジが切られている、請求項１１に記載の予め充填されたシリンジ。
【請求項１３】
管状の突出構造は、標準的なＣＬＡＶＥ(商標)コネクタの外側ネジを受け入れる大きさである、請求項１２に記載の予め充填されたシリンジ。
【請求項１４】
長く延びた中空のシリンジハウジングであって、ハウジングに比して減径した断面を有する開口を有するノーズと、ノーズを越えて延びノーズを奥に置く突出構造と、開口を具えた後端部と、ノーズと後端部間に長く延びた壁を有して、突出構造により、ノーズとユーザとの接触が阻止されるハウジングと、
ハウジングの後端部に配備され、シリンジの長さ方向に延びた延びた壁とシールしつつスライド可能に接触した状態で長く延びたプランジャであって、プランジャシールを具えた前端部と後端部を有するプランジャと、
ノーズとプランジャの前端部間にて、ハウジングに配備された可変流体室と、
を具えたシリンジ。
【請求項１５】
突出構造は、シリンジハウジングのノーズを囲む、請求項１４に記載のシリンジ。
【請求項１６】
突出構造は、内部にネジが切られ、ルアロック針取付け具からのフランジを受け入れる大きさである、請求項１４に記載のシリンジ。
【請求項１７】
内部にネジが切られた突出構造は、シリンジハウジングのノーズを全て囲む、請求項１６に記載のシリンジ。
【請求項１８】
突出構造は、ハウジングから離れて、ハウジングに取り付け可能である、請求項１４に記載のシリンジ。
【請求項１９】
突出構造は、ハウジング上にネジ止めされる、請求項１８に記載のシリンジ。
【請求項２０】
突出構造は、摩擦嵌合によりハウジングに取り付けられている、請求項１８に記載の予め充填されたシリンジ。
【請求項２１】
長く延びた中空のシリンジハウジングであって、ハウジングに比して減径した断面を有する開口したノーズと、ノーズを越えて延びノーズを奥に置く突出構造と、開口を具えた後端部と、ノーズと後端部間に長く延びた壁を有するシリンジハウジングと、
ハウジングの後端部に配備され、シリンジの長さ方向に延びた壁とシールしつつスライド可能に接触する長く延びたプランジャであって、プランジャシールを具えた前端部と、端部キャップを具えた後端部を有するプランジャと、
ノーズとプランジャの前端部間にてハウジングに配備された、可変流体室と、
を具えたシリンジ。
【請求項２２】
管状の突出構造は、内部にネジが切られている、請求項２１に記載のシリンジ。
【請求項２３】
管状の突出構造は、ルアロック針取付け具からのフランジを受け入れる大きさである、請求項２２に記載のシリンジ。
【請求項２４】
シリンジであって、
長く延びた中空のシリンジハウジングであって、ハウジングに比して減径した断面を有する開口したノーズと、ノーズを越えて延びノーズを奥に置く管状の突出構造と、開口を具えた後端部と、ノーズと後端部間に長く延びた壁とを有するシリンジハウジングと、
ハウジングの長く延びた壁とシールしつつスライド可能に接触した状態で後端部に配備された長く延びたプランジャであって、プランジャシールを具えた前端部と端部キャップを搬送する後端部を有するプランジャと、
ノーズとプランジャの前端部間にてハウジングに配備された可変流体室を具えたシリンジ。
【請求項２５】
管状の突出構造は、内部にネジが切られている、請求項２４に記載のシリンジ。
【請求項２６】
管状の突出構造は、ルアロック針取付け具からのフランジを受け入れる大きさである、請求項２５に記載のシリンジ。
【発明の詳細な説明】
【技術分野】
【０００１】
関連出願
本願は２００６年５月５日に出願され、発明の名称が「前部取付け具とともに使用する入り込んだノーズを有するシリンジ」である米国仮特許出願60/798,433号の利益を要求する。
【背景技術】
【０００２】
発明の背景
１．発明の分野
本発明は、医療機器に関し、特に閉じたＩＶシステム又はルアロック針取付け具に薬剤を導入すべく、ＣＬＡＶＥ(商標)コネクタのような前部取付け具を接続する際に、人との接触による汚染を防止するように構成された入り込んだノーズ部を有する、従来のシリンジ又は予め充填されたシリンジの何れかに関する。
【０００３】
２．関連技術の記載
取り付けられ、または予め設定された引き込み可能な針を有さずに、前部取付け具を用いるシリンジは、当該技術分野で公知である。種々の前部取付け具がこれらのシリンジに用いられ、一般に前部取付け具はシリンジのノーズを囲むピース上に螺合する。従来技術のシリンジのノーズは、この囲み構造を越えて伸び、シリンジの先導縁を構成する。前部取付け具を用いるシリンジには、２つの主たるタイプがあり、それらは予め充填されたシリンジと、針が取り付けられずに出荷される標準シリンジである。
【０００４】
予め充填されたシリンジの或るタイプは、ＩＣＵメディカルによって市販されるＣＬＡＶＥブランドコネクタのような種々の取付け具とともに用いられるのに適しており、米国特許第5,694,686号に開示されている。この構成については、シリンジが使用待機状態のとき、取付け具は前部に接続される。この取付け具は、外側からシール薄膜を刺す後方に対向する針又は他の鋭い物体を有する。シリンジプランジャは押圧されて、予め充填された流体は突き刺し針のシャフト、取付け具を通ってシリンジの外に流れ、閉じたＩＶシステム内に流れる。
シール薄膜ではなく、取り外し可能なシールキャップを有する予め充填されたシリンジは、同様の方法で、取付け具と共に作動する。キャップは取り外されて、取付け具は囲み構造上の内部ネジによってシリンジのノーズ部に接続される。シリンジプランジャは押圧され、予め充填された流体が取付け具を通って流れる。
【０００５】
取外し不能に取り付けられる針のない或る種のシリンジは、ルアロック機構を用いて、針を取り付け又は取り外す。このタイプのシリンジに於いて、針はルアロック針取付け具によって保持され、該ルアロック針取付け具はシリンジ上に螺合可能なフランジ又は外側ネジの何れかを有する。上記の予め充填されたシリンジと同様に、ルアロックシリンジは、ネジ切られたノーズ囲み構造を有し、該ノーズ囲み構造はルアロック針取付け具のフランジ又はネジを受け入れるように構成されている。
【０００６】
これらの何れのタイプのシリンジに伴う主な欠点は、シリンジ本体のノーズ部は、シリンジの前縁に晒されるその位置故に、汚染に晒されることである。ノーズは人との接触によって容易に汚染されるようになる。
針の無いシステムにとともに、予め充填された及び／又は標準的なシリンジ、及び針の無いシステム内に一体化されたアクセスポートを用いる結果として、致死性のブドウ球菌及び他の感染症が生じる虞れは、延びた突起部の背後にあるシリンジのノーズを凹ませる本発明によって解決され、それは好ましい実施例では取り囲む外壁である。ノーズの先端部を越えて突起を延ばすことにより、ノーズはもはやシリンジの前縁ではなく、人との接触による汚染から保護される。
【発明の開示】
【０００７】
発明の要約
前部取付け具とともに用いるシリンジが、ここに開示されて、従来技術に著しい利点を付与する。本発明のシリンジは、シリンジのノーズがノーズの先端部を超えて延びる突起の背後で凹むように構成されている。好ましい実施例に於いて、突起は取り囲む外壁であり。それによって前部取付け具がシリンジに接続される手段を付与する。外壁がノーズを超えて延びることにより、入り込んだノーズは前部取付け具を取り付ける前に、汚染物質との偶発的な接触による汚染から保護される。
【０００８】
開示された第１の実施例は、ＣＬＡＶＥ(商標)コネクタとともに用いられる予め充填されたシリンジであって、従来技術の予め充填されたシリンジに著しい利点を付与する。本発明の予め充填されたシリンジは、シリンジのノーズがノーズの先端部を超えて延びる囲み外壁の内側にて凹むように構成される。入り込んだノーズは、ＣＬＡＶＥ(商標)コネクタを取り付ける前に汚染物質との偶発的な接触による汚染から保護される。ノーズは人との接触に晒されず、病気の拡がりを防ぐのに役立つ。
【０００９】
本発明の予め充填されたシリンジは、ガラス又はプラスチックから作られた長く延びた中空のシリンジ本体を具える。シリンジ本体は、前端部及び開口した後端部の減径断面領域を具えた開口したノーズを有する。中空の本体内にプランジャが配備されて、プランジャは本体の内壁とスライドしながらシール接触するプランジャシールを具える。一体のプランジャは、シリンジ本体の後端部をシールし、注入中に親指の力を加える面を有する。シリンジ本体のノーズは、取り外し可能なシールキャップにてシールされる。両端部がシールされているから、シリンジは液体で予め充填され、使用されるまで格納される。
【００１０】
開示された予め充填されたシリンジのノーズは、シリンジ本体の一部である前方に突出した構造にて保護され、該構造の背後で入り込む。この前方に突出した構造によって、シールキャップが取り外された後に、使用者と入り込んだノーズとの間の汚染された物理的な接触を阻止する。前方に突出した構造は、入り込んだノーズを完全には囲み覆わない。それは単に先端部を越えて、ノーズと人との接触を防ぐ。
【００１１】
本発明の好ましい実施例に於いて、シリンジ本体のノーズを凹ませる突出構造は、ＣＬＡＶＥ(商標)コネクタが使用時に取り付けられるように構成されている。この突出構造の一部はノーズを囲み、ＣＬＡＶＥ(商標)コネクタからの外側ネジを受け入れるようにネジ切られている。ノーズを越えて突出するこの突出構造の一部は、完全に囲む壁、又は完全にはノーズを囲まない複数の指のような他の均等な構造の何れかであり得る。
完全に囲むか完全には囲まない突出構造は、人とノーズが物理的に接触することを阻止し、干渉し又は防止して、ノーズを汚染から保護しなければならない。
【００１２】
使用時にて、取り外し可能なシールキャップは、予め充填されたシリンジが直立して保持される際に取り外されて、ＣＬＡＶＥ(商標)コネクタが取り付けられる。この実施例に於いて、突出構造はシリンジ本体のノーズを囲み、先端部を越えて或る距離だけ延びる。囲み突出構造の内壁は、対応するＣＬＡＶＥ(商標)コネクタのネジを受け入れるように協働して螺合する。
ＣＬＡＶＥ(商標)コネクタは、内側がエラストマー系支持材で保護された後方に対向した針を有し、針はコネクタの前端部と流体が行き来可能である。ＣＬＡＶＥ(商標)コネクタを予め充填されたシリンジに螺合することにより、エラストマー系支持材を止まっている針に対して移動させ、針を露出する。シリンジのノーズ及びエラストマー系支持材は、ＣＬＡＶＥ(商標)コネクタが予め充填されたシリンジ上に完全に螺合したときは、流体が漏れないシールを形成する。次に、予め充填されたシリンジのプランジャが押されると、薬剤はシリンジのノーズ、ＣＬＡＶＥ(商標)コネクタの針を通って流れ、コネクタの前端部を通って出て、閉じたＩＶシステム内に入る。閉じたＩＶシステムに於いて、ＣＬＡＶＥ(商標)コネクタの前端部は、流体ボトルと流体が行き来可能なＩＶチューブに取り付けられる。流体ボトルは他のＩＶチューブを有して、それは患者の血管に挿入される。
【００１３】
他の実施例が開示され、その中でノーズを凹ませた突出構造が、ルアロック機構を用いて針が取り付けられ得るように構成された標準的な予め充填されないシリンジ上に組み込まれる。ルアロック機構は当該技術分野で公知であり、シリンジの前縁上の内側にネジ切られたリングに螺合するルアロック針ホルダ取付け具を略構成する。本実施例はルアロックのネジ切られた突出構造がノーズの先端部を越えて延び、このようにしてノーズを入り込ませ、ノーズを人との接触による汚染から保護するとの点で、他のルアロック機構とは異なる。
【００１４】
両実施例の好ましい構成に於いて、突出構造は製造時には取り外せないように、シリンジ本体に固定され又は取り付けられる。しかし、突出構造は使用者が使用前にシリンジに取り付けることができる別々の断片であり得ることが判るだろう。シリンジ本体及び別々の突出構造は、協働するネジを有して、突出構造が本体に螺合され、又は別々の突出構造が摩擦嵌合又はスナップフィットによって、対応する凹部及びボス又は小さな保持リップを使用して取り付けられ得る。
【００１５】
他の目的物と同様に、本発明の新規性のある特徴及び構成は、添付の図面と共に以下の記載を読むことにより、一層十分に理解されるだろう。
【発明を実施するための最良の形態】
【００１６】
好ましい実施例の記載
図１及び図２に関して、予め充填されたシリンジ(10)は、管状のハウジング(14)とプランジャ(24)を具えるのが好ましい。ハウジング(14)は、ハウジング(14)に比して減径した断面領域を有する前端部即ちノーズ(16)及び開口した後端部(23)を含む。
ハウジング(14)は、ポリプロピレンのような略透明な重合体の樹脂から成形されるのが好ましいが、他の重合体の樹脂又はガラスもまた受け入れ可能な材料である。
【００１７】
ハウジング(14)の後端部(23)には、プランジャ(24)が配備され、プランジャ(24)はハウジング(14)の内壁(13)をシールしながらスライド接触するプランジャシール(26)を有し、該プランジャシール(26)は別々の断片であっても、そうでなくともよい。一体型のプランジャ(24)は、シリンジハウジング(14)の後端部(23)をシールし、親指の力を加えてプランジャ(24)を押し、使用中にシリンジ(10)から薬剤を排出する端部キャップ(28)を有する。  シリンジ(10)のノーズ(16)は開口(18)を有し、ノーズ(16)は使用前に取り外し可能なシールキャップ(40)にてシールされる。開口した後端部(23)及びシリンジハウジング(14)のノーズ(16)は両方とも使用前にシールされているから、シリンジ(10)は、可変流体室(15)を予め液体で充たしておくことができる。
一旦、シリンジ(10)が充填されると、プランジャ(24)と内壁(13)との間の摩擦力と真空圧力により、プランジャ(24)は所定位置に維持されるだろう。
【００１８】
予め充填されたシリンジ(10)の突出構造(20)が、ノーズ(16)を越えて前に延びる。シールキャップ(40)は、突出構造(20)及びノーズ(16)の両方にスライド可能に嵌合する二重壁構造である。シールキャップ(40)の外壁(46)の内縁(48)は、突出構造(20)の外側にスライド可能に係合する。シールキャップ(40)の内壁(50)の内縁(52)は、ノーズ(16)の外側にスライド可能に係合する。
シールキャップ(40)が、予め充填されたシリンジ(10)上をスライドすると、突出構造(20)は当り(44)に接し、ノーズ(16)は当り(42)に接する。ノーズ(16)が当り(42)に接することにより、ノーズの開口(18)はシールされる。或いは、シールキャップ(40)はノーズの開口(18)に位置するエラストマー系のプラグを有してもよく、この場合、流体が漏れないシールを達成するのに外壁(46)は不要である。使用時は、シールキャップ(40)は予め充填されたシリンジ(10)から取り外されて、このようにして、ノーズの開口(18)はシールされない。
【００１９】
図３及び図４について、好ましい実施例に於いて、突出構造(20)の内壁(22)は、ＣＬＡＶＥ(商標)コネクタ(12)上の対応するネジ(30)を受け入れるべくネジ切られている。突出構造(20)は、ノーズ(16)を越えて延び、内径がＣＬＡＶＥ(商標)コネクタ(12)の外径よりも稍大きな大きさである。
【００２０】
標準的なＣＬＡＶＥ(商標)コネクタ(12)は、前方に対向した開口を有する端部(32)を有し、該端部は閉じたＩＶシステムに接続可能である。ＣＬＡＶＥ(商標)コネクタ(12)は、外側ネジ(30)によって覆われる後部(31)を有する。外側ネジ(30)により、ＣＬＡＶＥ(商標)コネクタ(12)は、予め充填されたシリンジ(10)の突出構造(20)に螺合することができる。
特に図４について、ＣＬＡＶＥ(商標)コネクタ(12)は、後部(31)によって囲まれる後方に向いた針(34)を有する。後方に向いた針(34)は、開口した前端部(32)と流体が流通可能に係合している。外側ネジ(30)は、ＣＬＡＶＥ(商標)コネクタ(12)の後方に向いた針(34)を保護し隠す囲み構造の一部である。エラストマー系の支持構造(36)は、針(34)が側方に動くことを防ぐ。
【００２１】
図５について、予め充填されたシリンジ(10)及びＣＬＡＶＥ(商標)コネクタ(12)は、突出構造(20)の内部ネジ(22)及びＣＬＡＶＥ(商標)コネクタ(12)の外側ネジ(30)の使用によって、ともに螺合する。ＣＬＡＶＥ(商標)コネクタ(12)を予め充填されたシリンジ(10)上に螺合させると、エラストマー系の支持構造(36)は針(34)に対して相対的に動き、このようにして、針(34)を露出させる。
ともに十分に螺合すると、ＣＬＡＶＥ(商標)コネクタ(12)のエラストマー系の支持構造(36)と予め充填されたシリンジ(10)のノーズ(16)は、流体が漏れないシールを形成する。ＣＬＡＶＥ(商標)コネクタ(12)を予め充填されたシリンジ(10)に取り付けることにより、ＣＬＡＶＥ(商標)コネクタ(12)の後方に向いた針(34)は、ノーズの開口(18)を通って突出する。薬剤は可変流体室(15)からノーズ(16)を通り、針(34)を通り、前方に開口した端部(32)を通ってＣＬＡＶＥ(商標)コネクタ(12)から出る。
【００２２】
本発明の好ましい実施例が図１−図５に示される一方、この開示内容を読めば当業者には、突出構造(20)がノーズ(16)を越えて延び、従ってノーズ(16)は引き込んでいて、汚染しないように保護されている構造であれば、予め充填されたシリンジ(10)の突出構造(20)は、ＣＬＡＶＥ(商標)コネクタ(12)以外の取付け具を受け入れるように同様に設計され得ることが理解されるだろう。ＣＬＡＶＥ(商標)コネクタ取付け具は突出構造(20)に螺合するようにネジが施されているが、内部に滑らかな突出構造がノーズ(16)を保護するのに用いられ得ることが予測でき、その場合、摩擦又は押圧嵌合によってシリンジに対して所定位置に保持される取付け具のようなネジを有さない(non-threaded)他の取付け具に使用可能である。
【００２３】
図６及び図７について、本発明の他の好ましい実施例が開示され、その中で突出構造(62)はノーズ(66)を越えて前方に延びる。突出構造(62)はルアロック針取付け具(56)のフランジ(54)を受け入れるような大きさの内部ネジ(64)を有する。
ルアロック針取付け具(56)は針(60)と針ホルダ(58)を具え、針ホルダ(58)はフランジ(54)を有する。ルアロック針取付け具(56)のフランジ(54)は、突出構造(62)内に螺合して、ノーズ(66)とルアロック針取付け具(56)との間に流体が漏れないシールを形成する。図６及び図７のルアロックの実施例は、説明の目的のみであって、図示のネジ構造を越えてシリンジの前に針を一時的に取り付ける他の多くの方法があることが理解され、その場合、人との接触による汚染は、突出構造の後方へノーズを引き込ませることにより阻止され得ることが示される。
【００２４】
図８について、好ましい実施例では、突出構造(20)はシリンジ(10)のノーズ(16)を完全に囲む剛体の壁である。突出構造(20)はシリンジ本体(14)に取り付けられ、ノーズ(16)を越えて延びる。図９について、他の実施例が示されて、突出構造(20')は完全に囲む壁ではなく、複数の突出した指を具え、シリンジ(10)のノーズ(16)を越えて延びる。
【００２５】
本開示を読めば、本発明の他の変更例及び修正例が当業者には同様に明らかになるだろう。ここで開示された本発明の範囲は、発明者らが法的な権利を与えられる添付の請求の範囲を最も広く解釈することによってのみ限定される。
【図面の簡単な説明】
【００２６】
本発明の装置は、以下の図面に記載され説明されている。全ての図面を通して、同様の符号は、同様の部分を記載するのに用いられる。
【図１】所定箇所にシールキャップを有する予め充填されたシリンジの一部を破断した正面図である。
【図２】シールキャップを取り外した予め充填されたシリンジの一部を破断した正面図である。
【図３】ＣＬＡＶＥ(商標)コネクタを取り付ける前の、予め充填されたシリンジ及びＣＬＡＶＥ(商標)コネクタの一部を破断した正面図である。
【図４】ＣＬＡＶＥ(商標)コネクタが取り付けられた後の、予め充填されたシリンジ及びＣＬＡＶＥ(商標)コネクタの一部を破断した正面図である。
【図５】図４の楕円５の領域の詳細な図であり、予め充填されたシリンジとＣＬＡＶＥ(商標)コネクタ間の接続をより良く示す。
【図６】ルアロック針を取り付ける前のルアロックシリンジ及びルアロック針の一部を破断した正面図である。
【図７】ルアロック針が取り付けられた後のルアロックシリンジ及びルアロック針の一部を破断した正面図である。
【図８】シリンジの一部の分解斜視図であり、完全に突出構造を囲むことを示す。
【図９】シリンジの一部の分解斜視図であり、代替的に完全には突出構造を囲まないことを示す。
【図１】
2009536080.tif 000003
【図２】
2009536080.tif 000004
【図３】
2009536080.tif 000005
【図４】
2009536080.tif 000006
【図５】
2009536080.tif 000007
【図６】
2009536080.tif 000008
【図７】
2009536080.tif 000009
【図８】
2009536080.tif 000010
【図９】
2009536080.tif 000011
【手続補正書】
【提出日】平成21年1月8日(2009.1.8)
【手続補正１】
【補正対象書類名】特許請求の範囲
【補正対象項目名】全文
【補正方法】変更
【補正の内容】
【特許請求の範囲】
【請求項１】
長く延びた中空のシリンジハウジングであって、ハウジングに比して減径した断面を有する開口を有するノーズと、ハウジングに取外し不能に固定され又は取り付けられたノーズを越えて延びノーズを奥に置く突出構造と、開口を具えた後端部と、ノーズと後端部間に長く延びた壁とを有しているシリンジハウジングと、
ノーズをシールする手段と、
ハウジングの後端部に配備され、シリンジの長さ方向に延びた壁とシールしつつスライド可能に接触する長く延びたプランジャであって、前端部と後端部を有するプランジャと、
シールされたノーズとプランジャの前端部間にて、ハウジングに配備された流体室とを具えた予め充填されたシリンジ。
【請求項２】
ノーズをシールする手段は、ノーズに配備された取り外し可能なシールキャップである、請求項１に記載の予め充填されたシリンジ。
【請求項３】
突出構造は、シリンジハウジングのノーズを略囲む、請求項１に記載の予め充填されたシリンジ。
【請求項４】
突出構造は、内部にネジが切られて、フランジ又は外側ネジを有する前部取付け具を受け入れる大きさである、請求項１に記載の予め充填されたシリンジ。
【請求項５】
内部にネジが切られた突出構造は、シリンジハウジングのノーズを略囲む、請求項３に記載の予め充填されたシリンジ。
【請求項６】
シリンジハウジングは、高分子材である、請求項１に記載の予め充填されたシリンジ。
【請求項７】
シリンジハウジングはガラスである、請求項１に記載の予め充填されたシリンジ。
【請求項８】
突出構造は、更に複数の指を具える、請求項１に記載の予め充填されたシリンジ。
【請求項９】
長く延びた中空のシリンジハウジングであって、ハウジングに比して減径した断面を有する開口したノーズと、ノーズを越えて延びノーズを奥に置き、ハウジングに取外し不能に固定され又は取り付けられた突出構造と、開口を具えた後端部と、ノーズと後端部間に長く延びた壁とを有するシリンジハウジングと、
ノーズに配備された取り外し可能なシールキャップと、
ハウジングの後端部に配備され、シリンジの長さ方向に延びた壁とシールしつつスライド可能に接触する長く延びたプランジャであって、プランジャシールを具えた前端部と端部キャップを搬送する後端部を有するプランジャと、
取り外し可能なシールキャップとプランジャの前端部間にてハウジングに配備された流体室とを具えた予め充填されたシリンジ。
【請求項１０】
突出構造は、内部にネジが切られている、請求項９に記載の予め充填されたシリンジ。
【請求項１１】
突出構造は、外側ネジを有する標準的なＣＬＡＶＥ(商標)コネクタと螺合可能である、請求項１０に記載の予め充填されたシリンジ。
【請求項１２】
長く延びた中空のハウジングであって、前方に延びたノーズを有し、該ノーズはノーズの背後のハウジングの一部に比して減径した断面を有し、ハウジングに取外し不能に固定され又は取り付けられ、ノーズを越えて前方に延びノーズを奥に置く突出構造と、開口を具えた後端部と、ノーズと後端部間に長く延びた壁を有して、突出構造により、ノーズとユーザとの不用意な接触を防止するハウジングと、
ハウジングの後端部に配備され、シリンジの長さ方向に延びた壁とシールしつつスライド可能に接触する長く延びたプランジャであって、プランジャシールを具えた前端部を有するプランジャと、
プランジャシールの前方にてハウジングに配備された量を変えることができる流体室とを具えたシリンジ。
【請求項１３】
突出構造は、シリンジハウジングのノーズを略囲む、請求項１２に記載のシリンジ。
【請求項１４】
突出構造は、内部にネジが切られて、フランジ又は外側ネジを有する前部取付け具を受け入れ係合する大きさである、請求項１２に記載のシリンジ。
【請求項１５】
突出構造は更に複数の指を具える、請求項１２に記載のシリンジ。
【請求項１６】
前部取付け具は、外側ネジを有するＣＬＡＶＥ(商標)コネクタである、請求項１４に記載のシリンジ。
【請求項１７】
前部取付け具は、ルアロック嵌合である、請求項１４に記載のシリンジ。
【請求項１８】
前部取付け具は、針を具える、請求項１４に記載のシリンジ。
【国際調査報告】
2009536080.tif 000012